(57)【要約】【課題】記録実行後のロール紙の切断すべき位置をユーザーが手動切断工具にて切断する際に、切断すべき位置で正確に切断することができるようにする。【解決手段】まず、記録を実行しようとしている記録データが記録境界、つまりロール紙ＲＰの切断すべき位置であるか否かを判定する（ステップＳ１１）。記録を実行しようとしている記録データが記録境界でない場合には（ステップＳ１１でＮｏ）、そのまま当該手順を終了する。記録を実行しようとしている記録データが記録境界である場合には（ステップＳ１１でＹｅｓ）、つづいて、フラグＰＮＥを参照して１がセットされているか否かを判定する（ステップＳ１２）。フラグＰＮＥが０ならば（ステップＳ１２でＮｏ）、そのまま当該手順を終了する。そして、フラグＰＮＥが１ならば（ステップＳ１２でＹｅｓ）、ロール紙ＲＰの切断すべき位置に切断目安線を記録する（ステップＳ１３）。【選択図】　　　　図４
2004018199.tif 000002
【特許請求の範囲】
【請求項１】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段とを備えた記録装置におけるロール紙記録制御方法であって、
前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する、ことを特徴としたロール紙記録制御方法。
【請求項２】
請求項１において、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない、ことを特徴としたロール紙記録制御方法。
【請求項３】
請求項１又は２において、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する、ことを特徴としたロール紙記録制御方法。
【請求項４】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、
前記ロール紙記録制御手段は、前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する、ことを特徴とした記録装置。
【請求項５】
請求項４において、前記ロール紙記録制御手段は、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない、ことを特徴とした記録装置。
【請求項６】
請求項４又は５において、前記ロール紙記録制御手段は、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する、ことを特徴とした記録装置。
【請求項７】
請求項４〜６のいずれか１項において、前記ロール紙終端検出手段は、前記記録実行手段より前記搬送方向の上流側に配設され、前記ロール紙搬送手段によって搬送される前記ロール紙に係合して前記ロール紙の有無を検出するロール紙検出機構を有している、ことを特徴とした記録装置。
【請求項８】
請求項４〜６のいずれか１項において、前記ロール紙終端検出手段は、前記ロール紙の終端近傍に付されている目印を検出可能な構成を成している、ことを特徴とした記録装置。
【請求項９】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段と、前記ロール紙に対する記録制御を実行するロール紙記録制御手段とを備えた記録装置において、前記ロール紙に対する記録制御をコンピュータに実行させるためのロール紙記録制御プログラムであって、
前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する手順を有する、ことを特徴としたロール紙記録制御プログラム。
【請求項１０】
請求項９において、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない手順を有する、ことを特徴としたロール紙記録制御プログラム。
【請求項１１】
請求項９又は１０において、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する手順を有する、ことを特徴としたロール紙記録制御プログラム。
【発明の詳細な説明】
【０００１】
【発明の属する技術分野】
本願発明は、長尺な記録紙がロール状に巻かれた、いわゆるロール紙に記録実行可能な記録装置、及び該記録装置におけるロール紙記録制御方法、並びにロール紙記録制御プログラムに関する。
【０００２】
【従来の技術】
長尺な記録紙がロール状に巻かれた、いわゆるロール紙は、例えばパノラマサイズの画像や非定形サイズの画像等を記録装置で記録する際に適しており、その利便性から広く一般的に普及しつつある。そのため、ロール紙に記録実行可能な構成を成す記録装置が普及しつつある。そして、記録実行後のロール紙を所望の切断位置で切断するためのロール紙切断装置を搭載したものが一般的になりつつある。一般的に、このロール紙切断装置を搭載した記録装置は、ロール紙に対して記録ヘッドからインク吐出する等の記録実行領域より、ロール紙の搬送方向下流側に配設されており、記録実行後のロール紙の切断すべき位置がロール紙切断装置の切断位置に位置するまで、紙送りローラ等のロール紙搬送手段によってロール紙を搬送し、ロール紙搬送手段によってロール紙を支持した状態でロール紙の切断すべき位置をロール紙切断装置で切断する構成を成している。
【０００３】
【発明が解決しようとする課題】
ところで、ロール紙は、所定のロール紙幅に対する記録領域の長さを任意に設定可能であるという利便性がある反面、長尺な記録紙がロール状に巻かれた状態であることから、巻かれているロール紙の終端までの長さを正確に識別することができないという不便さがある。そのため、ロール紙の終端近傍で記録が終了し、ロール紙の終端近傍に切断すべき位置がきてしまうと、記録実行領域の搬送方向下流側に配設されているロール紙切断装置の切断位置までロール紙の切断すべき位置が搬送される前に、ロール紙の終端がロール紙搬送手段から離れてしまう虞がある。すると、ロール紙の切断すべき位置をロール紙切断装置の切断位置まで搬送できない、つまりロール紙切断装置でロール紙の終端近傍の切断すべき位置を切断できないことになる。
【０００４】
あるいは、記録後のロール紙を排出する手段によって、ロール紙の切断すべき位置をロール紙切断装置の切断位置まで搬送できたとしても、記録後の記録面に接した状態でロール紙を排出する手段は、強固にロール紙を支持すると記録面を傷つけてしまう虞があるため、その支持力は弱く設定されているのが一般的である。したがって、ロール紙搬送手段でロール紙をしっかりと支持した状態で切断することができず、切断位置がずれたり、ロール紙切断装置にロール紙が巻き込まれて紙ジャム等が発生してしまったりしてしまう。そのため、そのような場合には、そのままロール紙を排出し、ユーザーがはさみ等の手動切断工具で、排出した記録実行後のロール紙のロール紙切断装置で切断できなかった終端近傍の切断すべき位置を切断することになる。
【０００５】
しかしながら、例えば複数の画像データを余白無くロール紙に記録したような場合等、記録領域と記録領域との境界、つまり切断すべき位置が目視で識別しづらいことも多く、ユーザーが手動切断工具で切断すべき位置を正確に切断することができない虞があった。
【０００６】
本願発明は、このような状況に鑑み成されたものであり、その課題は、記録実行後のロール紙の切断すべき位置をユーザーが手動切断工具にて切断する際に、切断すべき位置で正確に切断することができるようにすることにある。
【０００７】
【課題を解決するための手段】
上記課題を達成するため、本願請求項１に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段とを備えた記録装置におけるロール紙記録制御方法であって、前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する、ことを特徴としたロール紙記録制御方法である。
【０００８】
ロール紙終端検出手段によってロール紙の終端を検出することによって、ロール紙切断検出手段による検出位置と、記録実行手段によるロール紙に対する記録実行位置との距離から、未記録状態のロール紙の長さが分かる。つまり、ロール紙終端検出手段によってロール紙の終端を検出した時点で、未記録状態のロール紙の長さは、ロール紙切断検出手段による検出位置から記録実行手段によるロール紙に対する記録実行位置までの長さということになる。このロール紙切断検出手段による検出位置、及び記録実行手段によるロール紙に対する記録実行位置は、ロール紙終端検出手段、及び記録実行手段の配設位置から決まる長さであり、一定の決まった長さとなる。
【０００９】
つづいて、ロール紙切断検出手段によってロール紙の終端を検出した時点で、残りの記録データから未記録の記録実行領域の長さを求め、その長さと前述した未記録状態のロール紙の長さとを比較する。そして、記録実行後のロール紙の切断すべき位置からロール紙の終端までの長さを求め、その長さからロール紙の切断すべき位置がロール紙をロール紙搬送手段で支持した状態でロール紙切断装置にて切断可能な位置か否かを判定する。つまり、ロール紙搬送手段によるロール紙の支持位置からロール紙切断手段による切断位置までの長さと、ロール紙の終端からロール紙の切断すべき位置までの長さとを比較し、ロール紙の終端からロール紙の切断すべき位置までの長さが、ロール紙搬送手段によるロール紙の支持位置からロール紙切断手段による切断位置までの長さより長ければ、ロール紙切断装置によってロール紙の切断すべき位置が切断可能であり、短ければ切断できないと判定する。
【００１０】
そして、ロール紙の切断すべき位置がロール紙切断装置によって切断できないと判定した場合には、その切断すべき位置に切断目安線を記録する。ユーザーは、記録実行後、記録装置から排出されたロール紙の切断目安位置をはさみ等の手動切断工具にて切断する。前述したように、例えば複数の画像データを余白無くロール紙に記録したような場合等、記録領域と記録領域との境界、つまり切断すべき位置が目視で識別しづらいことも多く、ユーザーが手動切断工具で切断すべき位置を正確に切断することができない場合がある。そこで、このように、切断できなかったロール紙の切断すべき位置にのみ、切断目安線を記録することによって、ユーザーが手動切断工具で切断すべき位置を正確に切断することができるようになる。したがって、ロール紙の切断すべき位置に記録する切断目安線は、そのロール紙の切断すべき位置が明確に視認できるものであることが望ましい。
【００１１】
これにより、本願請求項１に記載の発明に係るロール紙記録制御方法によれば、ロール紙の切断すべき位置からロール紙の終端までの距離が短く、ロール紙搬送手段にてロール紙を支持した状態でロール紙切断装置にて切断できない場合には、ロール紙の切断すべき位置に切断目安線を記録するので、切断できなかった記録実行後のロール紙の切断すべき位置をユーザーが手動切断工具にて切断する際に、切断すべき位置を確実に識別できて正確に切断することができるという作用効果が得られる。
【００１２】
本願請求項２に記載の発明は、請求項１において、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない、ことを特徴としたロール紙記録制御方法である。
【００１３】
ロール紙切断検出手段によってロール紙の終端を検出した時点で、記録実行前の記録データの記録実行領域の長さを求め、その長さと未記録状態のロール紙の長さとを比較する。そして、記録実行前の記録データの記録実行領域の長さより未記録状態のロール紙の長さのほうが短い場合には、ロール紙に対して当該記録データを最後まで記録することができないので、その記録を実行しないようにする。したがって、最後までロール紙に記録をすることができない場合の無駄な記録をなくすことができる。
【００１４】
これにより、本願請求項２に記載の発明に係るロール紙記録制御方法によれば、本願請求項１に記載の発明による作用効果に加えて、最後までロール紙に記録をすることができない場合の無駄な記録をなくすことができるので、それによって、ロール紙及びインク等が無駄に消費されてしまうことを防止することができるという作用効果が得られる。
【００１５】
本願請求項３に記載の発明は、請求項１又は２において、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する、ことを特徴としたロール紙記録制御方法である。
【００１６】
このように、記録実行途中にロール紙切断検出手段によってロール紙の終端を検出した場合には、ロール紙の終端を検出した時点で、残りの記録データから未記録の記録実行領域の長さを求め、その長さと前述した未記録状態のロール紙の長さとを比較する。そして、残りの記録データの記録実行領域の長さより、未記録状態のロール紙の長さのほうが短い場合には、ロール紙に対して当該記録データを最後まで記録することができないので、その時点で記録を中断する。したがって、最後までロール紙に記録をすることができない場合の無駄な記録を少なくすることができる。
【００１７】
これにより、本願請求項３に記載の発明に係るロール紙記録制御方法によれば、本願請求項１又は２に記載の発明による作用効果に加えて、記録実行途中において最後までロール紙に記録をすることができないことが判明した時点で記録を中断し、その後の無駄な記録を実行しないので、それによって、ロール紙及びインク等が無駄に消費されてしまう虞を少なくすることができるという作用効果が得られる。
【００１８】
本願請求項４に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、前記ロール紙記録制御手段は、前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する、ことを特徴とした記録装置である。
本願請求項４に記載の発明に係る記録装置によれば、記録装置において、前述した本願請求項１に記載の発明と同様の作用効果を得ることができる。
【００１９】
本願請求項５に記載の発明は、請求項４において、前記ロール紙記録制御手段は、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない、ことを特徴とした記録装置である。
本願請求項５に記載の発明に係る記録装置によれば、記録装置において、前述した本願請求項２に記載の発明と同様の作用効果を得ることができる。
【００２０】
本願請求項６に記載の発明は、請求項４又は５において、前記ロール紙記録制御手段は、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する、ことを特徴とした記録装置である。
本願請求項６に記載の発明に係る記録装置によれば、記録装置において、前述した本願請求項３に記載の発明と同様の作用効果を得ることができる。
【００２１】
本願請求項７に記載の発明は、請求項４〜６のいずれか１項において、前記ロール紙終端検出手段は、前記記録実行手段より前記搬送方向の上流側に配設され、前記ロール紙搬送手段によって搬送される前記ロール紙に係合して前記ロール紙の有無を検出するロール紙検出機構を有している、ことを特徴とした記録装置である。
【００２２】
本願請求項７に記載の発明に係る記録装置によれば、記録実行手段の上流側に配設されたロール紙の検出手段によって、ロール紙の終端を検出することができ、それによって、本願請求項４〜６のいずれか１項に記載の発明による作用効果を得ることができる。
【００２３】
本願請求項８に記載の発明は、請求項４〜６のいずれか１項において、前記ロール紙終端検出手段は、前記ロール紙の終端近傍に付されている目印を検出可能な構成を成している、ことを特徴とした記録装置である。
【００２４】
本願請求項８に記載の発明に係る記録装置によれば、ロール紙の終端近傍に付されている目印を検出することによって、ロール紙の終端を検出することができ、それによって、本願請求項４〜６のいずれか１項に記載の発明による作用効果を得ることができる。
【００２５】
本願請求項９に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって支持されている記録実行後のロール紙の切断すべき位置を切断可能なロール紙切断手段と、前記ロール紙搬送手段によって搬送される前記ロール紙の終端を検出可能なロール紙終端検出手段と、前記ロール紙に対する記録制御を実行するロール紙記録制御手段とを備えた記録装置において、前記ロール紙に対する記録制御をコンピュータに実行させるためのロール紙記録制御プログラムであって、前記ロール紙終端検出手段によって前記ロール紙の終端を検出し、記録実行前の記録データの記録領域サイズと、前記ロール紙終端検出手段にて検出した前記ロール紙の終端位置から演算した前記ロール紙の残りの記録実行可能領域サイズとを比較し、記録実行後の切断すべき位置が、前記ロール紙搬送手段によって前記ロール紙切断手段の切断位置まで搬送できない位置となる場合には、前記ロール紙の当該切断すべき位置に切断目安線を記録する手順を有する、ことを特徴としたロール紙記録制御プログラムである。
【００２６】
本願請求項９に記載の発明に係るロール紙記録制御プログラムによれば、前述した本願請求項１に記載の発明と同様の作用効果を得ることができるとともに、このロール紙記録制御プログラムを実行することができる任意の記録装置に、前述した本願請求項１に記載の発明と同様の作用効果をもたらすことができる。
【００２７】
本願請求項１０に記載の発明は、請求項９において、前記ロール紙終端検出手段によって前記ロール紙の終端を検出した後、記録実行前の記録データの記録領域サイズと、前記ロール紙終端検出手段にて検出した前記ロール紙の終端位置から演算した前記ロール紙の残りの記録実行可能領域サイズとを比較し、記録データの記録領域サイズの方が大きい場合には、前記ロール紙に対して当該記録データの記録を実行しない手順を有する、ことを特徴としたロール紙記録制御プログラムである。
【００２８】
本願請求項１０に記載の発明に係るロール紙記録制御プログラムによれば、前述した本願請求項２に記載の発明と同様の作用効果を得ることができるとともに、このロール紙記録制御プログラムを実行することができる任意の記録装置に、前述した本願請求項２に記載の発明と同様の作用効果をもたらすことができる。
【００２９】
本願請求項１１に記載の発明は、請求項９又は１０において、前記ロール紙終端検出手段によって前記ロール紙の終端を検出した時点で、記録実行途中の記録データの残りの記録領域サイズと、前記ロール紙終端検出手段にて検出した前記ロール紙の終端位置から演算した前記ロール紙の残りの記録実行可能領域サイズとを比較し、記録実行途中の記録データの残りの記録領域サイズの方が大きい場合には、前記ロール紙に対する当該記録データの記録を中断する手順を有する、ことを特徴としたロール紙記録制御プログラムである。
【００３０】
本願請求項１１に記載の発明に係るロール紙記録制御プログラムによれば、前述した本願請求項３に記載の発明と同様の作用効果を得ることができるとともに、このロール紙記録制御プログラムを実行することができる任意の記録装置に、前述した本願請求項３に記載の発明と同様の作用効果をもたらすことができる。
【００３１】
【発明の実施の形態】
以下、本願発明の一実施の形態を図面に基づいて説明する。
まず、本願発明に係る「記録装置」としてのインクジェット式記録装置の概略構成について説明する。図１は、本願発明に係るインクジェット式記録装置の一実施の形態を示した要部平面図であり、図２は、その要部側面図である。
【００３２】
インクジェット式記録装置５０には、定形サイズの普通紙やフォト専用紙等の定形サイズの記録紙、及びロール紙ＲＰ等の被記録材の記録面にインクを吐出して記録を実行する「記録実行手段」として、キャリッジガイド軸５１に軸支され、主走査方向Ｘに移動するキャリッジ６１が設けられている。キャリッジ６１には、被記録材にインクを吐出する記録ヘッド６２が搭載されている。記録ヘッド６２と対向して、記録ヘッド６２のヘッド面と被記録材の記録面との間隔を規定するプラテン５２が設けられている。そして、キャリッジ６１を主走査方向Ｘに搬送し、キャリッジ６１とプラテン５２の間に被記録材を副走査方向Ｙに搬送しながら、記録ヘッド６２のヘッド面から被記録材にインクを吐出することで被記録材に記録が行われる。
【００３３】
また、インクジェット式記録装置５０には、被記録材を給紙可能な構成を有する自動給紙装置が設けられている。自動給紙装置は、給紙トレイ５７に設けられた２つの給紙ローラ５８及び図示してない分離パッドを有しており、給紙ローラ５８は、ステッピングモータ等の回転駆動力源により回転制御される。そして、２つの給紙ローラ５８の回転駆動力と、分離パッドの摩擦抵抗により、給紙トレイ５７に置かれた複数の記録紙を給紙する際に、複数の記録紙が一度に給紙されることなく１枚ずつ正確に自動給紙される。また、給紙トレイ５７の後方には、ロール紙ホルダ５９が設けられている。ロール紙ホルダ５９は、給紙トレイ５７に着脱可能な構成を成しており、ロール紙ＲＰを回転可能に軸支するものであり、ロール紙ＲＰは、図示の如く給紙トレイ５７を経由して給紙される。
【００３４】
さらに、インクジェット式記録装置５０には、給紙したロール紙ＲＰを副走査方向Ｙに間欠的に搬送する「ロール紙搬送手段」として、搬送駆動ローラ５３と搬送従動ローラ５４が設けられている。搬送駆動ローラ５３は、回転駆動力源により回転制御され、搬送駆動ローラ５３の回転により、ロール紙ＲＰは副走査方向Ｙに搬送される。搬送従動ローラ５４は複数設けられており、それぞれ個々に搬送駆動ローラ５３に付勢され、被記録材が搬送駆動ローラ５３の回転により搬送される際に、被記録材に接して被記録材の搬送に従動して回転する。尚、当然のことではあるが、普通紙等の定形サイズの被記録材も搬送駆動ローラ５３及び搬送従動ローラ５４によって搬送される。
【００３５】
また、給紙ローラ５８と搬送駆動ローラ５３との間には、第１の紙検出器６３が配設されている。従来技術において公知の技術による第１の紙検出器６３は、立位姿勢への自己復帰習性が付与され、かつ被記録材の搬送方向にのみ回動し得るよう被記録材の搬送経路内に突出する状態で枢支されたレバーを有し、このレバーの先端が被記録材に押されることでレバーが回動し、それによって被記録材の始端及び終端が検出される構成を成す検出器である。そして、第１の紙検出器６３にて検出した被記録材の始端及び終端位置に基づいて、被記録材の搬送動作や記録ヘッド６２からのインク吐出動作等が制御される。
【００３６】
さらに、インクジェット式記録装置５０には、記録された被記録材を排紙する手段として、排紙駆動ローラ５５と排紙従動ローラ５６が設けられている。排紙駆動ローラ５５は、回転駆動力源により回転制御され、排紙駆動ローラ５５の回転により、被記録材は副走査方向Ｙに排紙される。排紙従動ローラ５６は、周囲に複数の歯を有し、各歯の先端が被記録材の記録面に点接触するように鋭角的に尖っている歯付きローラとなっている。排紙従動ローラ５６は、それぞれ個々に排紙駆動ローラ５５に、搬送従動ローラ５４の付勢力よりも弱い付勢力で付勢され、被記録材が排紙駆動ローラ５５の回転により排紙される際に、被記録材に接して被記録材の排紙に従動して回転する。
【００３７】
さらに、インクジェット式記録装置５０には、排紙駆動ローラ５５及び排紙従動ローラ５６の副走査方向Ｙの下流側に「ロール紙切断手段」としてのカッター装置７１が配設されている。カッター装置７１は、当該実施例においては、鋭利な刃でロール紙を符号Ｚで示した矢印の方向に上下から挟み切るものであるが、例えばロータリーカッター等、他の切断装置でも本願発明の実施は可能である。また、インクジェット式記録装置５０は、制御部１を備えている。制御部１は、図示していないＣＰＵ（中央演算処理ユニット）、及びＲＯＭ、ＲＡＭ等のＣＰＵ周辺ユニットを有しており、記録実行制御手順以外に本願発明に係るロール紙記録制御手順等のロール紙ＲＰに記録を実行するための制御プログラムを実行して、ロール紙ＲＰへの記録、及びロール紙ＲＰの切断を実行する「ロール紙記録制御手段」としての機能を有している。
【００３８】
ところで、ロール紙ＲＰをカッター装置７１で切断する際には、ある程度の挟持力でロール紙ＲＰを挟持していないと切断すべき位置で正確に切断できないばかりでなく、カッター装置７１にロール紙ＲＰが巻き込まれる等のいわゆる紙ジャムが生じる虞がある。カッター装置７１の近傍に配設されている排紙駆動ローラ５５及び排紙従動ローラ５６による挟持力は、記録後の記録面に接する排紙従動ローラ５６が記録面を傷つけてしまうことを防止するために、比較的弱い挟持力に設定されている。そのため、カッター装置７１専用にロール紙の挟持手段等を設けない限り、ロール紙ＲＰの切断すべき位置をカッター装置７１の切断位置で切断する際には、ロール紙ＲＰを正確に搬送するために強い挟持力でロール紙ＲＰを挟持している搬送駆動ローラ５３及び搬送従動ローラ５４でロール紙ＲＰを挟持した状態で切断する必要がある。
【００３９】
したがって、搬送駆動ローラ５３の周面と搬送従動ローラ５４の周面との当接点（いわゆるニップ点）からカッター装置７１の切断位置までの距離をＬ１とすると、Ｌ１は、ロール紙ＲＰの切断すべき位置をカッター装置７１の切断位置で切断するために、ロール紙ＲＰの切断すべき位置より副走査方向Ｙの上流側に最低限必要なロール紙ＲＰの長さということになる。つまり、ロール紙ＲＰの終端近傍においては、ロール紙ＲＰの切断すべき位置からロール紙ＲＰの終端までの長さがＬ１未満の場合には、ロール紙ＲＰの切断すべき位置をカッター装置７１にて切断することができないということになる。
【００４０】
一方、ロール紙ホルダ５９には、「ロール紙終端検出手段」としての第２の紙検出器６４が配設されている。第２の紙検出器６４は、ロール紙ホルダ５９の近傍にてロール紙ＲＰの終端を検出するために配設されている。ここで、搬送駆動ローラ５３の周面と搬送従動ローラ５４の周面との当接点から第２の紙検出器６４の検出位置までの距離をＬ２とすると、第２の紙検出器６４にてロール紙ＲＰの終端を検出した時点で、カッター装置７１の切断位置からロール紙ＲＰの終端までの長さは、Ｌ１にＬ２を加算した長さということになる。
【００４１】
したがって、記録データから求められるロール紙ＲＰの切断すべき位置からロール紙ＲＰの終端位置までの長さをＬ１と比較することができる。よって、ロール紙ＲＰの切断すべき位置からロール紙ＲＰの終端位置までの長さがＬ１より短い場合には、ロール紙ＲＰの切断すべき位置をカッター装置７１で切断できないことが分かる。そこで、第２の紙検出器６４にて検出したロール紙ＲＰの終端を検出した時点において、ロール紙ＲＰの切断すべき位置からロール紙ＲＰの終端位置までの長さがＬ１より短い場合には、ロール紙ＲＰの切断すべき位置に記録後のロール紙ＲＰの切断すべき位置をユーザーがはさみ等の手動切断工具にて切断する際の目印となる切断目安線を記録する。そして、当該実施の形態においては、Ｌ１とＬ２の長さが略等しい長さに設定されているので、ロール紙ＲＰの切断すべき位置へ記録を実行する際に、第２の紙検出器６４がロール紙ＲＰの終端を検出しているか否かのみによって、切断目安線を記録するか否かを決定することができる。
【００４２】
次に、本願発明に係るインクジェット式記録装置５０のロール紙切断制御手順について図３〜図５を参照しながら説明する。図３は、本願発明に係るロール紙切断制御手順において、ロール紙ＲＰの終端を検出する手順を示したフローチャートである。尚、当該フローチャートに示した手順は、ロール紙ＲＰに記録を実行中に定周期で繰り返し実行される手順である。
【００４３】
第２の紙検出器６４がロール紙ＲＰを検出している状態から、非検出状態となるタイミング、つまり、第２の紙検出器６４の検出状態からがロール紙ＲＰの終端を検出したか否かを判定する（ステップＳ１）。第２の紙検出器６４がロール紙ＲＰの終端を検出していない場合には（ステップＳ１でＮｏ）、フラグＰＮＥに０をセットする（ステップＳ２）。フラグＰＮＥは、０でロール紙ＲＰの終端を検出していないことを示し、１でロール紙ＲＰの終端を検出したことを示すフラグである。そして、第２の紙検出器６４がロール紙ＲＰの終端を検出した場合には（ステップＳ１でＹｅｓ）、フラグＰＮＥに１をセットする（ステップＳ３）。
【００４４】
図４は、本願発明に係るロール紙切断制御手順において、ロール紙ＲＰの切断すべき位置へ切断目安線を記録する要否を判定する手順を示したフローチャートである。尚、当該フローチャートに示した手順は、ロール紙ＲＰに記録を実行中に定周期で繰り返し実行される手順である。
【００４５】
まず、記録を実行しようとしている記録データが記録境界、つまりロール紙ＲＰの切断すべき位置であるか否かを判定する（ステップＳ１１）。記録を実行しようとしている記録データが記録境界でない場合には（ステップＳ１１でＮｏ）、そのまま当該手順を終了する。記録を実行しようとしている記録データが記録境界である場合には（ステップＳ１１でＹｅｓ）、つづいて、フラグＰＮＥを参照して１がセットされているか、つまり、ロール紙ＲＰの終端が検出されているか否かを判定する（ステップＳ１２）。フラグＰＮＥが０ならば（ステップＳ１２でＮｏ）、そのまま当該手順を終了する。そして、フラグＰＮＥが１ならば（ステップＳ１２でＹｅｓ）、ロール紙ＲＰの切断すべき位置に切断目安線を記録する（ステップＳ１３）。
【００４６】
前述したように、当該実施の形態においては、Ｌ１とＬ２が略等しい長さに設定されているので、ロール紙ＲＰの切断すべき位置に記録を実行する際に第２の紙検出器６４がロール紙ＲＰの終端を検出していなければ（ステップＳ１２でＮｏ）、ロール紙ＲＰの切断すべき位置からロール紙ＲＰの終端までの長さがＬ１以上あることになるので、ロール紙ＲＰの切断すべき位置を切断する際に必要となる余分なロール紙が確保でき、搬送駆動ローラ５３及び搬送従動ローラ５４とでロール紙ＲＰを挟持した状態でカッター装置７１の切断位置にてロール紙ＲＰの切断すべき位置を切断することができる。
【００４７】
一方、ロール紙ＲＰの切断すべき位置に記録を実行する際に第２の紙検出器６４がロール紙ＲＰの終端を検出していれば（ステップＳ１２でＹｅｓ）、ロール紙ＲＰの切断すべき位置からロール紙ＲＰの終端までの長さがＬ１以上ないことになるので、ロール紙ＲＰの切断すべき位置を切断する際に必要となる余分なロール紙が確保できない。したがって、ロール紙ＲＰの切断すべき位置に切断目安線を記録する（ステップＳ１３）。尚、Ｌ１よりＬ２を長く設定すれば、同様の手順で切断目安線の記録の要否を判定することは可能である。
【００４８】
図５は、本願発明に係るロール紙切断制御手順において、ロール紙ＲＰの切断すべき位置をカッター装置７１の切断位置で切断する手順を示したフローチャートである。尚、当該フローチャートに示した手順は、ロール紙ＲＰに記録を実行中に定周期で繰り返し実行される手順である。
【００４９】
まず、ロール紙搬送手段によってロール紙ＲＰの切断すべき位置がカッター装置７１の切断位置まで搬送されているか否かを判定する（ステップＳ２１）。ロール紙ＲＰの切断すべき位置がカッター装置７１の切断位置まで搬送されていなければ（ステップＳ２１でＮｏ）、そのまま手順を終了する。ロール紙ＲＰの切断すべき位置がカッター装置７１の切断位置まで搬送されている場合には（ステップＳ２１でＹｅｓ）、つづいて、フラグＰＮＥに１がセットされているか否かを判定する（ステップＳ２２）。
【００５０】
フラグＰＮＥに１がセットされていない場合（ＰＮＥが０）には（ステップＳ２２でＮｏ）、ロール紙ＲＰが搬送駆動ローラ５３及び搬送従動ローラ５４にて挟持された状態でロール紙ＲＰの切断すべき位置をカッター装置７１の切断位置で切断することができるので、そのままロール紙ＲＰの切断すべき位置をカッター装置７１にて切断する（ステップＳ２３）。一方、フラグＰＮＥに１がセットされている場合には（ステップＳ２２でＹｅｓ）、ロール紙ＲＰが搬送駆動ローラ５３及び搬送従動ローラ５４にて挟持された状態でロール紙ＲＰの切断すべき位置をカッター装置７１の切断位置で切断することができない、つまり、図４に示した手順によって、ロール紙ＲＰの切断すべき位置に切断目安線が記録されているので、ロール紙ＲＰの切断すべき位置を切断せずにフラグＰＮＥを０にリセットして次の記録データがあればそのまま次の記録を実行する。
【００５１】
このようにして、ロール紙ＲＰの切断すべき位置からロール紙ＲＰの終端までの距離が短く、搬送駆動ローラ５３及び搬送従動ローラ５４にてロール紙ＲＰを支持した状態でカッター装置７１にて切断できない場合には、ロール紙ＲＰの切断すべき位置に切断目安線を記録するので、切断できなかった記録実行後のロール紙ＲＰの切断すべき位置をユーザーが手動切断工具にて切断する際に、切断すべき位置で正確に切断することができる。
【００５２】
また、他の実施の形態としては、上記一実施の形態に加えて、当該記録データによる記録実行前において、ロール紙終端検出手段にて検出したロール紙の終端位置に基づいてロール紙の未記録実行領域の長さが足りるか否かを判定し、足りなければ当該記録データの記録を実行しないものが挙げられる。図６は、本願発明に係るロール紙切断制御手順において、ロール紙ＲＰへの記録を開始するか否かを判定する手順を示したフローチャートである。尚、当該フローチャートに示した手順は、ロール紙ＲＰに記録を開始する前に実行される手順である。
【００５３】
ロール紙ＲＰへの記録を開始する前に、フラグＰＮＥに１がセットされているか否か、つまり、第２の紙検出器６４によってロール紙ＲＰの終端が検出されているか否かを判定する（ステップＳ３１）。フラグＰＮＥが０ならば、つまり、ロール紙ＲＰの終端が検出されていなければ（ステップＳ３１でＮｏ）、ロール紙ＲＰへの記録を開始する（ステップＳ３２）。一方、フラグＰＮＥが１ならば、つまり、ロール紙ＲＰの終端が検出されていれば（ステップＳ３１でＹｅｓ）、つづいて、記録を開始しようとしている記録データから求められる必要なロール紙ＲＰの長さと、ロール紙ＲＰの終端位置に基づいて求められる未記録状態のロール紙ＲＰの長さとを比較してロール紙ＲＰが足りるか否かを判定する（ステップＳ３３）。ロール紙ＲＰの長さが足りると判定した場合には（ステップＳ３３でＹｅｓ）、ロール紙ＲＰへの記録を開始する（ステップＳ３２）。一方、ロール紙ＲＰの長さが足りないと判定した場合には（ステップＳ３３でＮｏ）、ロール紙ＲＰへの記録を行わずに当該手順を終了する（ステップＳ３４）。
【００５４】
このようにして、ロール紙ＲＰに対して当該記録データを最後まで記録することができない場合には、その記録を実行しないようにすることによって、最後までロール紙ＲＰに記録をすることができない場合の無駄な記録をなくすことができるので、それによって、ロール紙ＲＰ及びインク等が無駄に消費されてしまうことを防止することができる。
【００５５】
さらに、他の実施の形態としては、上記一実施の形態に加えて、当該記録データによる記録実行中において、ロール紙終端検出手段にてロール紙の終端位置を検出した時点で、ロール紙の未記録実行領域の長さが足りるか否かを判定し、足りなければ当該記録データの記録を中断するものが挙げられる。図７は、本願発明に係るロール紙切断制御手順において、ロール紙ＲＰへの記録中にロール紙ＲＰの終端を検出した時点で、そのまま記録を続行するか否かを判定する手順を示したフローチャートである。尚、当該フローチャートに示した手順は、ロール紙ＲＰへの記録中に繰り返し実行される手順である。
【００５６】
ロール紙ＲＰへの記録を実行中に、フラグＰＮＥに１がセットされているか否か、つまり、第２の紙検出器６４によってロール紙ＲＰの終端が検出されているか否かを判定する（ステップＳ４１）。フラグＰＮＥが０ならば、つまり、ロール紙ＲＰの終端が検出されていなければ（ステップＳ４１でＮｏ）、そのままロール紙ＲＰへの記録を続行する（ステップＳ４２）。一方、フラグＰＮＥが１ならば、つまり、ロール紙ＲＰの終端が検出された時点で（ステップＳ４１でＹｅｓ）、つづいて、残りの未記録の記録データから求められる必要なロール紙ＲＰの長さと、ロール紙ＲＰの終端位置に基づいて求められる未記録状態のロール紙ＲＰの長さとを比較してロール紙ＲＰが足りるか否かを判定する（ステップＳ４３）。ロール紙ＲＰの長さが足りると判定した場合には（ステップＳ４３でＹｅｓ）、そのままロール紙ＲＰへの記録を続行する（ステップＳ４２）。一方、ロール紙ＲＰの長さが足りないと判定した場合には（ステップＳ４３でＮｏ）、ロール紙ＲＰへの記録を中断する（ステップＳ４４）。
【００５７】
このようにして、ロール紙ＲＰへの記録実行中にロール紙ＲＰの終端を検出して、ロール紙ＲＰに対して当該記録データを最後まで記録することができないことが分かった時点で、その記録を中断することによって、最後までロール紙ＲＰに記録をすることができない場合の無駄な記録をなくすことができるので、それによって、ロール紙ＲＰ及びインク等が無駄に消費されてしまうことを防止することができる。
【００５８】
尚、本願発明は上記実施例に限定されることなく、特許請求の範囲に記載した発明の範囲内で、種々の変形が可能であり、それらも本願発明の範囲内に含まれるものであることは言うまでもない。
【００５９】
【発明の効果】
本願発明によれば、記録実行後のロール紙の切断すべき位置をユーザーが手動切断工具にて切断する際に、切断すべき位置で正確に切断することができる。
【図面の簡単な説明】
【図１】本願発明に係るインクジェット式記録装置の一実施の形態を示した要部平面図である。
【図２】本願発明に係るインクジェット式記録装置の一実施の形態を示した要部側面図である。
【図３】本願発明に係るロール紙切断制御手順において、ロール紙の終端を検出する手順を示したフローチャートである。
【図４】本願発明に係るロール紙切断制御手順において、ロール紙の切断すべき位置へ切断目安線を記録する要否を判定する手順を示したフローチャートである。
【図５】本願発明に係るロール紙切断制御手順において、ロール紙の切断すべき位置をカッター装置の切断位置で切断する手順を示したフローチャートである。
【図６】本願発明に係るロール紙切断制御手順において、ロール紙への記録を開始するか否かを判定する手順を示したフローチャートである。
【図７】本願発明に係るロール紙切断制御手順において、ロール紙への記録中にロール紙の終端を検出した時点で、そのまま記録を続行するか否かを判定する手順を示したフローチャートである。
【符号の説明】
１　　制御部
５０　インクジェット式記録装置
５１　キャリッジガイド軸
５２　プラテン
５３　搬送駆動ローラ
５４　搬送従動ローラ
５５　排紙駆動ローラ
５６　排紙従動ローラ
５７　給紙トレイ
５８　給紙ローラ
５９　ロール紙ホルダ
６１　キャリッジ
６２　記録ヘッド
６３　第１の紙検出器
６４　第２の紙検出器
７１　カッター装置
ＲＰ　ロール紙
Ｘ　主走査方向
Ｙ　副走査方向
【図１】
2004018199.tif 000003
【図２】
2004018199.tif 000004
【図３】
2004018199.tif 000005
【図４】
2004018199.tif 000006
【図５】
2004018199.tif 000007
【図６】
2004018199.tif 000008
【図７】
2004018199.tif 000009